(57)【要約】【課題】  複数種類の電池で動作し、撮像素子近傍の異物を除去するクリーニング手段を備えた電子カメラにおいて、安全で使い勝手の良いものにする。【解決手段】  クリーニングモードを実行する時は、クイックリターンミラー１０４を退避位置に駆動し（ミラーアップ）、先幕１１２を開放、後幕１１１を保持するように制御し、この状態で撮影レンズ１０１を着脱し、レンズマウント１０２側から光学フィルタ１１３や撮像素子１１４に付着している異物の除去を行う。その際、電池種類判別手段による装填電池の判別結果が単３形の電池であった場合は、上記のクリーニングの動作を禁止する。【選択図】        図１
2005303959.tif 000002
【特許請求の範囲】
【請求項１】
被写体を撮像する撮像素子と、撮像素子近傍の異物を除去する為の制御をするクリーニング制御手段と、装填された電池の種類を判別する電池種類判別手段とを備え、複数種類の電池を装填可能な電子スチルカメラにおいて、前記電池の判別結果に応じて、前記クリーニング制御手段の動作を禁止することを特徴とするカメラ。
【請求項２】
前記電池種類判別手段による判別結果が単３形の電池であった場合に、前記クリーニング制御手段の動作を禁止することを特徴とする請求項１に記載のカメラ。
【発明の詳細な説明】
【技術分野】
【０００１】
本発明は、複数種類の電池で動作させることが可能なカメラに関し、特に撮像素子近傍の異物を除去する際の制御に関するものである。
【背景技術】
【０００２】
レンズ交換可能な一眼レフレックス方式のデジタルカメラの場合、レンズの交換時に異物が侵入し易く、ＣＣＤ等の撮像素子の直前にフォーカルプレーンシャッターを配置しているため、一度侵入した異物は撮影の度に繰り返し駆動されるミラーやシャッターによりカメラ内を移動し、撮像素子や撮像素子近傍に配置された光学ローパスフィルタ、赤外線カットフィルタの表面やＡＦセンサ等に付着してしまう恐れがある。撮像面に異物が付着してしまうと、異物が除去されるまでゴミが写り込んでしまう。
【０００３】
また、ＡＦセンサ等のセンサ面上に異物が付着してしまうと、センサの出力が正しくなされず、誤動作の原因ともなってしまう。このような異物を除去するための専用モードのクリーニングモードを備えたカメラはすでに知られており、クリーニングモードに入るとミラーをアップさせ、シャッターを全開状態にすることによりクリーニング作業を可能にしている。例えば、外部よりエアーで異物を飛ばしたり、ピンセットで直接異物を除去する等の作業を行うことが出来る。
【０００４】
クリーニングモード時においてはシャッターを全開状態に保持する必要があり、クリーニングモード中に電源の低下によりエラーが発生しシャッターを走行させると、クリーニング作業によりシャッターを破壊してしまう恐れがある。こうした問題点に鑑みて、カメラの電源がＡＣ電源以外のときにはクリーニングモードを禁止するカメラが提案されている（例えば、特許文献１参照。）。
【特許文献１】特開２００１−１５９７７７号公報
【発明の開示】
【発明が解決しようとする課題】
【０００５】
デジタルカメラにおいては、旧来のフィルム撮影のカメラに比較して消費電流が大きいため、主電源には電流の放電特性や経済性を重視してリチウムイオン電池などの充電可能な２次電池を採用する場合が多い。
【０００６】
多くの場合こうした２次電池は専用形状をしており、専用である利点の一つとしてその電圧や電流の放電特性に応じてカメラを正常動作させるためのバッテリー電圧の監視レベル、バッテリー電圧を監視する際に必要に応じて所定の負荷通電をする場合のその通電量、或いは電源の供給能力に対応した動作速度や動作シーケンスなどの設定を行うことが可能である。
【０００７】
一方でこうした専用の２次電池を使うようなカメラにおいても、万が一の緊急時などのために単３型電池などの汎用電池が使えることも要望されている。
【０００８】
単３型電池などの汎用電池はどこでも売っているなど入手性は高いが、一方で同一形状でありながらアルカリ電池、マンガン電池、リチウム電池、ニッカド電池、ニッケル水素電池など様々な種類のものが流通しており、その電圧や電流の放電特性なども皆異なっている為、本来カメラを正常動作させるための設定も電池の種類に応じて切り替えなければならない。しかしながらカメラの電気回路が自動的に電池の種類までを判別するのは困難である。
【０００９】
また、前述の特開２００１−１５９７７７号公報で提案されているようなカメラでは、クリーニング手段を実行する為にはＡＣ電源が装着されてなければならず、センサクリーニングを実行可能な場所が限定されてしまい、主電源である専用の２次電池でセンサクリーニングが実行出来ないカメラでは使い勝手が悪い。
【００１０】
本発明は、上記のような問題点に鑑みてなされたもので、安全で使い勝手の良いカメラを提供することを目的としている。
【課題を解決するための手段】
【００１１】
上記問題点に鑑みて本発明では、カメラ本体に装填された電池の種類を判別し、汎用の単３形電池の場合に限りセンサクリーニング手段を禁止することを特徴とするカメラを提案し、安全で使い勝手の良いカメラとすることを目的とする。
【発明の効果】
【００１２】
本発明によれば、複数種類の電池を装填可能な電子スチルカメラにおいて、汎用の形状をしている単３形電池の場合に限りセンサクリーニング手段を禁止することを特徴とするカメラを提案し、センサクリーニング作業中の電源の低下によるシャッターの破壊を防止し、センサクリーニングを実行する場所が限定されない安全かつ使い勝手の良いカメラとすることが出来る。
【発明を実施するための最良の形態】
【００１３】
以下、本発明の実施例を図面について説明する。
【実施例】
【００１４】
図１は本発明を実施した一眼レフタイプのデジタルカメラの構成を示す側断面図である。図１において、１００はカメラ本体、１０１は撮影レンズであり、カメラ本体１００に対して、レンズマウント１０２を介して交換可能である。１０３は撮影光軸、１０４はクイックリターンミラーである。クイックリターンミラー１０４は、撮影レンズ１０１を透過した被写体光をファインダ光学系に導く位置（反射位置）と撮影光路外に退避する位置（退避位置）との間で移動可能であり、図１においては反射位置にある。
【００１５】
１０５はピント板で、クイックリターンミラー１０４により反射されファインダ光学系に導かれる被写体光を結像する。１０６はコンデンサレンズ、１０７はペンタゴナルダハプリズムで、ピント板１０５及びコンデンサレンズ１０６を透過した被写体光を測光センサ１０８および光学ファインダ用接眼レンズ１０９に導く。１１０は光学ファインダの接眼窓である。
【００１６】
１１１は後幕、１１２は先幕で、これらによりシャッターを構成する。後幕１１１と先幕１１２を開放することにより、撮影レンズ１０１を透過した被写体光は光学ローパスフィルタ及び赤外カットフィルタを一体化した光学フィルタ１１３を透過し、撮像素子１１４に露光される。撮像素子１１４は光学像を電気信号に変換する例えばＣＣＤ等である。
【００１７】
また、クリーニングモードを実行した時は、クイックリターンミラー１０４を退避位置に駆動し（ミラーアップ）、先幕１１２を開放、後幕１１１を保持する。このように制御することにより、撮影レンズ１０１を着脱し、レンズマウント１０２側から光学フィルタ１１３や撮像素子１１４に付着している異物の除去が可能としている。
【００１８】
１１５は液晶表示装置で、撮影画像や各種撮影情報や設定情報を表示する。１１６は例えば半導体メモリや磁気ディスク、光ディスク等からなる記憶手段であり、撮像された画像情報を記憶する。
【００１９】
１１７は電池ボックスで、カメラ本体１を駆動するための電源として電池が装填される。また、電池ボックス１１７に装填される電池は、専用の形状をした２次電池１２０、或いは汎用的な形状をした単３形電池を４本収納可能なバッテリーフォルダ１３０が装填可能である。４本の単３形電池はそれぞれ３ａ、３ｂ、３ｃ、３ｄで表している。
【００２０】
図２はカメラ本体１００のシステム構成を表す図である。図２において、２００は電気回路部、２０１は電気回路部２００に対する正極電源入力端子、２０２は電気回路部２００に対する負極電源入力端子である。２０３、２０４は電池種類を判別するための情報を伝達するための電池判別接点端子である。
【００２１】
２０５は電池ボックス１１７にバッテリーフォルダ１３０が装着された場合にオンするバッテリーフォルダ装着検出スイッチである。
【００２２】
カメラ本体１００に２次電池１２０が装填されると、２次電池１２０の正極電極１２１が正極電源入力端子２０１に接続され、２次電池１２０の負極電極１２２が負極電源入力端子２０２に接続されて電気回路部２００に電源供給される。
【００２３】
バッテリーフォルダ１３０に汎用の単３形電池を装着し、カメラ本体１００に装填した場合、単３電池を４本直列接続したバッテリーフォルダ１３０の正極側電極１３１が正極電源入力端子２０１に接続され、バッテリーフォルダ１３０の負極側電極１３２が負極電源入力端子２０２に接続されて電気回路部２００に電源供給される。
【００２４】
カメラ本体１００に２次電池１２０が装填された場合、バッテリーフォルダ装着検出スイッチ２０５がＯＦＦであるので、電池判別接点端子２０３と２０４はオープンとなっているが、バッテリーフォルダ１３０が装着された場合には、バッテリーフォルダ装着検出スイッチ２０５がＯＮとなり、電池判別接点端子２０３と２０４はショートされる。従って、電池判別接点端子２０３と２０４がショートされているか否かを検出することにより、電池ボックス１１７に装填される電池が２次電池１２０と汎用の単３電池とのどちらかであるかを判別することが可能である。
【００２５】
図３はカメラ本体１００の電気回路部２００の構成例を表わす図である。図３において、３０１は電源回路部であり、図２にて説明した正極電源入力端子２０１及び負極電源入力端子２０２が接続されて電池より電源供給を受け、安定化電源を生成して以下に説明する各回路構成要素を動作可能とする。３０２は各種操作部材であり、撮影スイッチや再生スイッチ或いは後述するカメラ動作の設定及び選択を行うためのスイッチ等が含まれる。
【００２６】
３０３は撮像素子１１４の出力信号が入力される信号処理部である。信号処理部３０３は撮像素子１１４の出力信号をＡ／Ｄ変換してさらに画素補完演算など必要な信号処理を行った上で、画像情報を画像処理部３０５に出力する。画像処理部３０５は画像情報に対する色合い調整やコントラスト調整やエッジ強調（輪郭強調）などの画像処理を施したり、１１６の記憶手段に対して画像情報の記憶や読み出しを行うために画像情報の圧縮や伸長等の画像データの変換処理を行う。画像処理部３０５は表示用画像情報をモニター駆動回路３０４に出力し、図１にて説明したモニター１１５には撮像された画像等がモニター表示される。さらに信号処理部３０３は画像の輝度や鮮鋭度に関する情報を３０６の制御手段に出力する。３０６は制御手段であり、電子カメラの全体制御を行う。制御手段３０６には図２にて説明した接点２０３、２０４が接続されてバッテリーフォルダ１３０の装着検出が行われる。また、制御手段３０６には接点２０１も接続されており、制御手段内にＡ／Ｄコンバータを持たせて接点２０１に与えられる電池の電圧を測定することでバッテリー電圧の監視を行うことができる。３０７はレンズ制御手段であり、信号処理部３０３の出力する画像の鮮鋭度の情報を受けて撮像素子１１４によって撮像された被写体像が最も鮮鋭となるように制御手段３０６の出力する信号に従って撮影レンズ１０１の焦点調節が行われる。３０８は絞り機構（不図示）を制御するための絞り制御手段であり、制御手段３０６は信号処理部３０３が出力する画像の輝度情報に従って最適な画像の明るさになるように絞りの制御信号を絞り制御手段３０８に出力する。
【００２７】
３０９はミラー制御手段で、撮影時或いはクリーニングモード選択時に操作部材３０２からの信号を制御手段３０６が検出し、クイックリターンミラー１０４をミラーアップさせるようにミラー制御信号をミラー制御手段３０９に出力する。
【００２８】
図４は上記の構成でなるカメラの異物除去する為のセンサクリーニングモード時における動作を示すフローチャートである。以下、操作部材３０２を用いてカメラ動作の各種設定を行うメニューからセンサクリーニングモードを選択時、電源に単３形電池を用いている場合にはセンサクリーニングモードを禁止する動作シーケンスを説明する。
【００２９】
（Ｓ４０１）電池判別接点端子２０３と２０４がショートされているか否かを検出する。ショートされていなかった場合には専用の２次電池１２０が装填されていると判断して（Ｓ４０２）へ進む。
【００３０】
（Ｓ４０２）液晶表示装置１１５に図５（ａ）のようなセンサクリーニングモード選択の確認とセンサクリーニングモードの実行時における注意事項を表示する。
【００３１】
（Ｓ４０３）センサクリーニングモード実行時の注意事項を表示した後、液晶表示装置１１５にセンサクリーニングモードを実行するか否かを操作部材３０２によって選択可能な表示を行う。センサクリーニングモードの実行するを選択された場合、（Ｓ４０４）へ進む。そうでない場合には（Ｓ４０４）以降のセンサクリーニングの動作を行わず、センサクリーニングモードを終了する。
【００３２】
（Ｓ４０４）クイックリターンミラー１０４をミラーアップさせセンサクリーニングモードを開始する。
【００３３】
（Ｓ４０５）センサクリーニング実行中に制御手段３０６によって監視されている電源の電圧がカメラの動作可能電圧以上の場合には、（Ｓ４０６）へ進む。
【００３４】
（Ｓ４０６）操作部材３０２によってセンサクリーニングモード終了が選択された場合、（Ｓ４０７）へ進む。そうでない場合には（Ｓ４０５）へ戻る。
【００３５】
（Ｓ４０７）クイックリターンミラー１０４をミラーダウンさせセンサクリーニングモードを終了する。
【００３６】
（Ｓ４０５）において電源電圧が動作可能電圧以下の場合には（Ｓ４０８）へ進む。
【００３７】
（Ｓ４０８）液晶表示装置１１５に使用者への電池切れの警告を表示し、（Ｓ４０７）へ進みセンサクリーニングモードを終了する。
【００３８】
（Ｓ４０１）において電池判別接点端子２０３と２０４がショートされている場合には単３形電池が装填されたバッテリーフォルダ１３０が装着されていると判断して（Ｓ４０９）へ進む。
【００３９】
（Ｓ４０９）液晶表示装置１１５に図５（ｂ）のようなセンサクリーニングモード禁止の警告を表示して、センサクリーニングの動作を行わず、センサクリーニングモードを終了する。
【００４０】
また、単３形電池が装填されたバッテリーフォルダ１３０が装填された場合には、操作部材３０２を用いてカメラ動作の各種設定を行うメニューからセンサクリーニングモードを選択することが出来ないようにしても良い。
【００４１】
尚、本実施例では単３形電池をバッテリーフォルダに装填したが、あくまでも例でありバッテリーフォルダを使用した場合に限ったものではない。単３形電池の使用本数も本実施例に限るものではない。
【００４２】
以上で実施例の説明を終了する。
【図面の簡単な説明】
【００４３】
【図１】実施例の側断面図
【図２】カメラのシステム構成例を示す図
【図３】カメラの電気回路の構成例を示す図
【図４】センサクリーニングモードの動作フローチャート
【図５】注意事項および禁止警告の表示例を示す図
【符号の説明】
【００４４】
１００  カメラ本体
１０１  撮影レンズ
１０４  クイックリターンミラー
１１３  光学フィルタ
１１４  撮像素子
１１５  液晶表示装置
１２０  専用２次電池
１３０  単３バッテリーフォルダ
３ａ、３ｂ、３ｃ、３ｄ  単３形の汎用電池
２００  電気回路部
３０２  操作部材
３０６  カメラ制御手段
３０９  ミラー制御手段
【図１】
2005303959.tif 000003
【図２】
2005303959.tif 000004
【図３】
2005303959.tif 000005
【図４】
2005303959.tif 000006
【図５】
2005303959.tif 000007